Podtech/llm-jp-corpus-v4-ja_patent huggingface dataset:
(57)【要約】　　　（修正有）【課題】明るい場所での液晶画面を見やすくする。【解決手段】液晶画面の上部または側部に凹状のレール部を設置、またはビニールテープ状にしたレール部を貼付し、凸状の円柱部を有するビニール紙のひさし部を取り付ける。ひさしで日陰を作り、相対的に画面の輝度を上げることにより、液晶画面を見やすくする。【選択図】　図１
0003098170.tif 000002
【実用新案登録請求の範囲】
【請求項１】
縁に凸状の円柱とめ具部を有するビニールや普通紙でできた液晶画面用の遮光ひさし（シェード）。
【請求項２】
凹状のレール部に、ビニール紙でできたひさしの縁の円柱部とレール部を連結して自立させることができるようにとめ具を付けた、液晶画面用の遮光ひさし（シェード）。
【考案の詳細な説明】
【０００１】
【産業上の利用分野】本考案は、液晶画面を、屋外で明るく見えるようにすることを目的とした移動式とめ具付きの遮光ひさし（シェード）である。
【０００２】
【従来の技術】発光体である液晶画面を日光に対抗して明るく見せる手段としては、電気的に画面自体の輝度を上げる、画面の反射を少なくする表面素材を採用するなど、また、機械的には、画面を回転させて日差しを避けるなどがあるが、液晶画面用に、とめ具が付随する遮光ひさし（シェード）は無かった。
【０００３】
【考案が解決しようとする課題】液晶画面自体の輝度を上げると、電池が早く消耗する。画面の反射を少なくする素材では液晶画面自体輝度は上昇しない。画面を回転させる方法は、デジタルカメラの場合、被写体とカメラの方向が異なってしまい、被写体を捉えづらい。効果的な手段は一眼レフの採用であるが、高価である。また、一眼レフは、ノートパソコンやデジタルカメラ付き携帯電話の液晶画面には不向きである。
【０００４】
【課題を解決するための手段】
液晶画面の上部または側部に凹状のレール部を設置、またはビニールテープ状にしたレール部を貼付し、凸状の円柱部を有するピニール紙のひさし部を取り付ける。このひさしで日陰を作り、相対的に画面の輝度を上げることにより、液晶画面を見やすくする。遮光ひさし（シェード）はレールに沿わせて取り付けるため、レール上を移動したり、曇天や室内では取り外すことが容易である。
【０００５】
【考案の実施の形態】液晶画面の上部または側部に凹状のレール部を設置、またはビニールテープ状にした凹状レール部を貼付し、日陰を作る。
【０００６】
【実施例】以下、添付図面に沿って実施例を説明する。
１ａは、ひさし部とひさし取り付け部一体型の断面図。　断面図中の破断線部分は「ひさし部」、実線部分は「ひさし取り付け部」。破線部分と実線部分は、一体成型もしくは接着による２部材の合体。１ｂは１ａの平面図で、約５００倍の拡大図。
２ａは、ひさし取り付け部をはめ込む為のレールの断面図。
２ｂは、２ａの平面図。接着テープ方式、または画面の縁への直接刻み込みも可。平面図１ａと２ａと２ｂは約５００倍の拡大図。
１ａを２ａにスライドさせて挿入し、液晶画面にひさしを取り付ける。
【０００７】
【考案の効果】遮光ひさしは、液晶画面上に日陰を作り、画面を見やすくすることができる。　遮光ひさしは、レールに沿って移動することが出来るので、日差しの角度に応じて調整することができ、薄いビニール紙製なので、液晶画面の大きさに合わせて断裁する事と折り曲げるもできる。また、レール式なので取り外しも容易で、レール部も微小なのでじゃまにならない。また、輝度上昇に要する電池の消耗とも無縁である。
【図１】
0003098170.tif 000003
【図２】
0003098170.tif 000004
【手続補正書】
【提出日】平成15年7月22日(2003.7.22)
【手続補正１】
【補正対象書類名】明細書
【補正対象項目名】図面の簡単な説明
【補正方法】追加
【補正の内容】
【図面の簡単な説明】
【図１】液晶画面用遮光ひさし（シェード）の拡大断面図である。
【符号の説明】
１ａ　　　ひさし部とひさし取り付け部（単体で一体）の断面図である。
２ｂ　　　液晶画面用遮光ひさし（シェード）のレール部（とめ具部）の俯瞰図である。
Ａ−Ｂ　　図面作画上の便宜上の切断線である。
【図２】液晶画面用遮光ひさし（シェード）のひさし部とひさし取り付部（単体）および、レール部の横置きの断面縮尺図と平面縮尺図である。
【符号の説明】
上左から下右へ順をもって符号を説明する。
２ｂ　　　液晶画面用遮光ひさし（シェード）のレール部（とめ具部）の平面縮尺図である。
１ａ　　　液晶画面用遮光ひさし（シェード）レール部の縮尺平面図である。
１ｂ　　　ひさし部とひさし取り付部（ひさし部とひさし取り付部とでシェード単体）の平面縮尺図である。
２ａ　　　液晶画面用遮光ひさし（シェード）のレール部（とめ具部）の断面縮尺図である。
１ｂ　　　ひさし部とひさし取り付部（ひさし部でシェード単体）の平面縮尺図であり、断面図、１ａの平面図である。
(57)【要約】　　　（修正有）【課題】コンピュータとハードディスクなど周辺機器との接続が容易なＩＤＥケーブルを提供する。【解決手段】コンピュータの基板と接続するＩＤＥケーブルのコネクターの位置をケーブルの真中に変更、ハードディスク、ＣＤ−ＲＯＭなどの周辺機器と接続するコネクターをケーブルの両端へ変更する。【選択図】　　図２
0003098167.tif 000002
【実用新案登録請求の範囲】
【請求項１】
コンピュータ内部で使用するケーブルにおいて、ケーブルにコネクターを圧着する場所の変更によって、ケーブルのコネクターの位置が従来と違うケーブル。
【考案の詳細な説明】
【０００１】
【考案の属する技術分野】
コンピュータ及び電気工学分野
【０００２】
【従来の技術】
今までのコンピュータ内部のＩＤＥ、ＳＣＳＩケーブルはそのコネクターの位置が決まっていて、ハードディスクの取付け場所も決まっていたことによって、ハードディスクの増設に非常に不便だ。取付けるスペース、場所とケーブルの長さによって、増設できない場合がある。
【０００３】
【考案が解決しようとする課題】
従来のケーブルは以下の欠点がある。
今までのケーブル上のコネクター位置、形状と長さがもう決まっているので、決まった場所にしか取付けできない。これによって、ハードディスク、ＣＤ−ＲＯＭなどの周辺機器を増設、取付けできない場合がある。
上記の問題に対して、従来のケーブルを改良し、場所にこだわらない本考案のケーブルで、今までハードディスク、ＣＤ−ＲＯＭなどの周辺機器が取付けできないことを可能にする。
【０００４】
【課題を解決するための手段】
ケーブル上のコネクターの位置を変更することによって、ハードディスク、ＣＤ−ＲＯＭなどの周辺機器の取付ける場所にもうこだわらない。自由自在に取付けることが実現。
【０００５】
【考案の実施の形態】
コンピュータの基板と接続するＩＤＥケーブルのコネクターの位置をケーブルの真中に変更、ハードディスク、ＣＤ−ＲＯＭなどの周辺機器と接続するコネクターをケーブルの両端へ変更する。
【０００６】
【実施例】
次に本考案ついて図面を参照して説明する。この実施例は
コンピュータに使用される多くのＩＤＥケーブル中に一つの例に過ぎない。この方法が勿論、ＳＣＳＩケーブルにも適用する。
【０００７】
ケーブル上のコネクター位置を変更する。
【０００８】
【考案の効果】
コンピュータにＩＤＥケーブルなどの長さやコネクター位置などの問題で、今までハードディスクなどの増設が困難なことを解決した。
【図面の簡単な説明】
【図１】従来のケーブルのコネクター配置及び外観図（例）。
【図２】本考案のケーブルのコネクター配置図及び外観図（例）。
【符号の説明】
１．　コンピュータ基板と接続するコネクター（青色）
２．　ハードディスクと接続するコネクター　（灰色）
３．　ハードディスクと接続するコネクター　（黒色）
４．　フラット電線ケーブル
【図１】
0003098167.tif 000003
【図２】
0003098167.tif 000004
【手続補正書】
【提出日】平成15年7月7日(2003.7.7)
【手続補正１】
【補正対象書類名】明細書
【補正対象項目名】全文
【補正方法】変更
【補正の内容】
【考案の詳細な説明】
【実用新案登録請求の範囲】
【請求項１】コンピュータ内部で使用するハードディスクやＣＤ−ＲＯＭを接続するＩＤＥケーブルにおいて、前記ＩＤＥケーブルに設けるコネクターの位置を前記ＩＤＥケーブルの略中央部に設けたことを特徴する電線ケーブル。
【考案の詳細な説明】
【０００１】
【考案の属する技術分野】
コンピュータ及び電気工学分野
【０００２】
【従来の技術】
今までのコンピュータ内部にハードディスクやＣＤ−ＲＯＭを接続する為のＩＤＥ、ＳＣＳＩケーブルは図１示すようにコンピュータメイン基板と接続するコネクター１、ハードディスクと接続するコネクター２、３のように、そのコネクターの位置が決まっていて、ハードディスクの取り付け場所も決まっていたことによって、ハードディスクの増設に非常に不便だ。取付けるスペース、場所とケーブルの長さによって、増設出来ない場合がある。
【０００３】
【考案が解決しようとする課題】
従来のケーブルは上記のようである為以下の欠点がある。
今までのＩＤＥケーブル上のコネクター位置と長さがもう決まっているので，決まった場所にしか取り付け出来ない。これによって、ハードディスク、ＣＤ−ＲＯＭなどの周辺機器を増設、取り付け出来ない場合がある。
【０００４】
【課題を解決するための手段】
コンピュータ内部で使用するハードディスクやＣＤ−ＲＯＭを接続するＩＤＥケーブルにおいて、前記ＩＤＥケーブルに設けるコネクターの位置を前記ＩＤＥケーブルの略中央部に設けたことを特徴する電線ケーブル、この考案によって、コンピュータ内部でハードディスクの増設が自由自在に取付けることが実現。
【０００５】
【考案の実施の形態】
コンピュータメイン基板と接続するＩＤＥケーブルの位置をケーブルの略中央に変更し、ハードディスク、ＣＤ−ＲＯＭなどの周辺機器と接続するコネクターをＩＤＥケーブルの両端へ変更する。
【０００６】
【実施例】
次に本考案について図面を参照しながら説明する。図２はこの考案の実施例であり、コンピュータに使用される多くのＩＤＥケーブル４の略中央部にＩＤＥケーブルのコネクター１を設けた例を示している。これによりハードディスクと接続するコネクター２はＩＤＥケーブル４の左端に設けている。
【０００７】
ＩＤＥケーブルの各コネクターの位置を変更する。
【０００８】
【考案の効果】
コンピュータで使用するＩＤＥケーブルのコネクター位置を変更することで、ハードディスクなどの増設が容易になった
【図面の簡単な説明】
【図１】従来のＩＤＥケーブルのコネクター配置及び外観図
【図２】本考案のＩＤＥケーブルのコネクター配置及び外観図
【符号説明】
コンピュータメイン基板と接続するコネクター
ハードディスクと接続するコネクター
ハードディスクと接続するコネクター
ＩＤＥケーブル
(57)【要約】　　　（修正有）【課題】人が持ち運べる大きさ、重さ２０ｋｇ以下の自然石で室内外に設置出来るように加工し、鉢、花瓶、花器等に使えるようにする。【解決手段】自然石に、穴、溝、窪みを作り草や花、木等の植物を、生けたり植えたりする。人が持ち運べるように石を削り、２０ｋｇ以下に加工する石や植物が保水、給水出来るように、防水の水盤、下敷をする。【選択図】　図１
0003098144.tif 000002
【実用新案登録請求の範囲】
【請求項１】
１穴、溝、窪み（２）を作り、人が持ち運べるように、重さを２０ｋｇ以下に加工調整した自然石（１）。
【考案の詳細な説明】
【考案の属する技術分野】
【従来の技術】
従来は、庭石としての使用し、多くは室外に設置され採取場所との環境がある程度保たれ、石の美しさや、苔　植物が維持される。
大きな石でないと、自然には石の上に植物は育たない。
【考案が解決しょうとする課題】
人が持ち運べる大きさ、重さ２０ｋｇ以下の自然石で室内外に設置出来るように加工し、付属品を付ける。
鉢、花瓶、花器等に使えるようにする。
石の美しさや、苔　植物が維持されるよう保水する事。
【課題を解決するための手段】
自然石に、穴、溝、窪みを作り草や花、木等の植物を、生けたり植えたりする。人が持ち運べるように石を削り、重さを２０ｋｇ以下に加工調整する石や植物が保水、給水出来るように、防水の水盤、下敷をする。
【考案実施の形態】
【実施例】
穴、溝、窪みを利用して、草や花、木等の植物を、生けたり植えて、鉢、花瓶、花器等のように、使用する観賞用の自然石。
防水の水盤、下敷を使う事により保水、給水ができ植物はもちろん石の苔も育てる事が出来た。
【考案の効果】
人が持ち運べるような、大きさ　重さの石なので、従来庭園などに使う加工品の残り材料で製作できる　廃材の再利用となった。
【図１】
0003098144.tif 000003
【手続補正書】
【提出日】平成14年11月18日(2002.11.18)
【手続補正１】
【補正対象書類名】明細書
【補正対象項目名】実用新案登請求の範囲
【補正方法】変更
【補正の内容】
【実用新案登録請求の範囲】
【請求項１】
鳥海山の麓域陵地での、れき岩質（安山岩）の転在している自然石通称鳥海石に、穴、溝、窪みを作り、人が持ち運べるように、２０ｋｇ以下にした加工調整した石。
【手続補正２】
【補正対象書類名】明細書
【補正対象項目名】図面の簡単な説明
【補正方法】変更
【補正の内容】
【図面の簡単な説明】
【図１】自然石に、植物等を生けたり、植えるたりする窪みを作った加工調整した石。
【符号の説明】
（１）自然石（安山岩）
（２）加工調整した窪み




【手続補正書】
【提出日】平成15年3月25日(2003.3.25)
【手続補正１】
【補正対象書類名】明細書
【補正対象項目名】実用新案登録請求の範囲
【補正方法】変更
【補正の内容】
【実用新案登録請求の範囲】
鳥海山の麓域陵地での、れき質岩（安山岩）の転在している自然石、通称「鳥海石」に、植物を植えたり、生けるための、穴・溝・窪みを造り、鉢・花瓶・花器として使用する物。
(57)【要約】　　　（修正有）【課題】一つの味だけではなく、一杯で二つの味を楽しめる飲み物（シェイク）をつくることができる容器の提供。【解決手段】紙コップ１の真ん中に仕切り２を入れるか、紙コップ１に半円形の紙コップ４を重ねて、左右平等に同じ量の飲み物が入るようにした。【選択図】　図３
0003098141.tif 000002
【実用新案登録請求の範囲】
【請求項１】
紙コップ（１）の真ん中に仕切る部（２）を入れるか、紙コップ（１）に半円形のコップ（４）を重ねて、ストロー二本で飲む一杯で二つの味が楽しめる飲み物。
【考案の詳細な説明】
【０００１】
［考案の属する技術分野］
この考案は、紙コップの真ん中に仕切る部をつけるか、紙コップの中に半円形の紙コップを重ねて、一杯で二つの味が楽しめる飲み物（シェイク）に関するものである。
【０００２】
［従来の技術］
従来の飲み物（シェイク）では、一杯で一つの味だけしか飲む事が出来ない。
【０００３】
［考案が解決しようとする課題］
本考案は、その欠点を無くす為に、飲み物（シェイク）一杯で二つの味を楽しめるという事を課題として、研究を進めた。
【０００４】
［課題を解決するための手段］
一杯で二つの味を楽しめるようにするには、どのようなものが理想かを実験と理論の結果、紙コップに仕切りを入れるか、紙コップのなかに半円形のコップを重ねる事が最上であることを発見した。
【０００５】
［考案の実施の形態］
本考案を実施する為に、最初は、紙コップと同じ素材でコップの真ん中に仕切りをつけた、しかしそれでは、コップを重ねられなくなり使いずらい次は半円の形の紙コップを二つ、上の部分だけくっつける。または、飲み物（シェイク）を入れる時に紙コップの真ん中に仕切りを入れる等各種の方法を実施している。
【０００６】
［考案の効果］
本考案は以上のような構成だから、一つの飲み物であって、二つの味または同時に二つの味を飲めばミックスされた味も楽しめ、一つで三通り楽しめる飲み物（シェイク）になる。
別々の味を楽しんでも良し、口の中で二つの味が混ざり合う楽しみを味わうも良し一杯の飲み物でありながら、飲む人それぞれの飲み方が出来て楽しい。
【図面の簡単な説明】
【図１】紙コップ
【図２】仕切り
【図３】本考案の斜視図
【図４】半円形の紙コップ
【図５】本考案の斜視図
【符号の説明】
（１）はストロー
（２）は飲み物
【図１】
0003098141.tif 000003
【図２】
0003098141.tif 000004
【図３】
0003098141.tif 000005
【図４】
0003098141.tif 000006
【図５】
0003098141.tif 000007
(57)【要約】　　　（修正有）【課題】一般道路はもとより車庫において、人の通行・車の走行で溝蓋本体が側溝（Ｕ字溝）から簡単に浮き上がったり、ズレ外れたりすることのない成形溝蓋を提供する。【解決手段】しま鋼板で、一体化成形し側溝（Ｕ字溝）の溝幅内寸法に適合しズレがないように溝蓋内幅２を形成した溝蓋とする。車の乗り上げ重量に耐えるように耐荷重性を持った溝蓋角度曲げ部４を形成した溝蓋。本しま鋼板で成形した開発溝蓋は数多く何連も現場に設置するのに、又溝清掃時には簡単・容易に取付け、取外しが出来るように連結脱着を可能にした溝蓋。【選択図】　　図３
0003098149.tif 000002
【実用新案登録請求の範囲】
【請求項１】
しま鋼鈑で、成形された溝蓋を現場に設置時、Ｕ字溝と溝蓋本体のズレ外れを無くする止め金枠部品を不用とし、一体化形成を行った溝蓋である。
【請求項２】
しま鋼鈑で、成形された板状体の溝蓋に載る積載重量に耐えるように角度曲げ（テーパ）形成を行った溝蓋である。
【請求項３】
しま鋼鈑で、成形された溝蓋を数多く何連も現場に設置するのに、ボルト・ナットでのセットではなく簡単・容易に連結セットが出来るように、且つ、溝の清掃時には簡単・容易に取り外しが出来るように形成を行った溝蓋である。
【考案の詳細な説明】
【０００１】
【発明の属する技術分野】
本発明は、従来グレーチングのような溶接構造ではなく、しま鋼鈑を一体化成形したもので、且つ現場での連結施工並びに取り外しが簡単・容易に出来る溝蓋をお客様に提供しようとするものである。
【０００２】
【従来の技術】
従来、市販の溝蓋は多種単体形成部材を組合せた溶接構造のものが多く、製造するのに多くの場所・設備治具・人を必要とする。
【０００３】
【発明が解決しようとする課題】
溝蓋開発製造にあたり、板状体の一体化成形加工・安全性・耐荷重に対応して、このような問題を解決することを解決課題とする。
【０００４】
【課題を解決するための手段】
上記のような問題点に対応し、本溝蓋発明は、人の転倒災害・車のスリップ災害を防ぐためにしま鋼鈑製とし、強度を上げるため角度曲げ（テーパ）を行い且つ、溝蓋が浮き上がったり、ズレ外れたりしないように、連結の脱着が簡単容易に出来るように成形した溝蓋の作り込みで課題を解決する。
【０００５】
【発明の実施の形態】
本発明の溝蓋は、しま鋼鈑の板厚は２．３ｍｍ〜４．５ｍｍの板状体・長さ１０００ｍｍ・溝幅は１３０ｍｍ〜３００ｍｍまでのものを、成形した加工品です。
【発明の効果】
本発明のしま鋼鈑、溝蓋であれば、一般道路の側溝はもとより車庫においても、人の通行・車の走行で簡単に溝蓋が浮き上がったり、ズレ外れたりすることのない、且つ脱着が簡単に出来・容易にした溝蓋が提供出来る。
【図面の簡単な説明】
【図１】本発明のしま鋼鈑、溝蓋Ａ展開図です。
【図２】本発明のしま鋼鈑、溝蓋Ｂ展開図です。
【図３】本発明の溝蓋Ａ・溝蓋Ｂの連結図面です。
【図４】本発明の溝蓋Ａ・ＢとＵ字溝の敷設図です。
【符号の説明】
１　しま鋼鈑、溝蓋本体
２　しま鋼鈑、溝蓋内幅
３　しま鋼鈑、溝蓋連結接合部
４　しま鋼鈑、溝蓋角度曲げ部
５　しま鋼鈑、溝蓋とＵ字溝の側面からの敷設立面部
【図１】
0003098149.tif 000003
【図２】
0003098149.tif 000004
【図３】
0003098149.tif 000005
【図４】
0003098149.tif 000006
【手続補正書】
【提出日】平成15年5月15日(2003.5.15)
【手続補正２】
【補正対象書類名】明細書
【補正対象項目名】実用新案登録請求の範囲
【補正方法】変更
【補正の内容】
【実用新案登録請求の範囲】
【請求項１】
しま鋼鈑で、成形された溝蓋を現場に設置時、Ｕ字溝と溝蓋本体のズレ外れを無くする止め金枠部品を不用とし、Ｕ字溝の幅に合わせて、しま鋼板単体を折り曲げ形成を重ねる事により、金枠無しにズレ止めを防ぐ溝蓋である。
【請求項２】
しま鋼鈑で、成形された板状体の溝蓋に載る積載重量に耐えるように側部の角度曲げ（テーパ）形成、および何連にも繰り返した折り曲げ形成により歪みやたわみを防ぐ溝蓋である。
【請求項３】
しま鋼鈑で、成形された溝蓋を何連も現場に設置するのに、先端部をＺ型に折り曲げ、その切り込み部分にはめ込む事により、ボルト・ナットでの連結ではなく簡単・容易に連結セットが出来るように、且つ、溝の清掃時には簡単・容易に取り外しが出来るように形成を行った溝蓋である。
(57)【要約】　　　（修正有）【課題】反り防止を具備し、棚板としてスマートな美観を有する棚板用木口材の提供をする。【解決手段】側面が略三角形状を有し、形状の垂直面の概中央部面に底辺面に平行した連続した反り防止突起１を設け、底辺面に延長及び／又は形状の頂部に底辺面に平行した装着突起２を設けて構成してなる棚板用木口材。【選択図】図１
0003098148.tif 000002
【実用新案登録請求の範囲】
【請求項１】
断面が略三角形状を有し、前記形状の垂直面の概中央部面に底辺面に平行した連続した反り防止突起１を設け、該底辺面に延長及び／又は前記形状の頂部に底辺面に平行した装着突起２を設けて構成してなることを特徴とする棚板用木口材。
【考案の詳細な説明】
【０００１】
【考案の属する技術分野】
本考案は、反り防止に優れしかも装着面で美観に優れた棚板用木口材に関する。
【０００２】
【従来技術】
従来の棚板用木口材としては、家具用棚板や框の木口に貼り合わせ、木口面の防虫や防音のために使用する家具用木口材が知られている。（特許文献１参照）
【０００３】
【特許文献１】
意匠公報　意匠登録第１０９１８２７号（Ｄ１０９１８２７号）
【考案が解決しようとする課題】
【０００４】
本考案の目的は、キッチンや家具等棚板の木口端面に装着して使用する木口材であって、用いる棚板材質の反り止め防止に優れると共に棚板がスマートな美観を与えること、木口材と棚板との装着仕上がりが良好であり、就中、木口の面が綺麗である棚板用木口材の提供を目的とする
【０００５】
【考案の構成】
本考案は、「断面が略三角形状を有し、前記形状の垂直面概中央部に底辺面に平行した連続した反り防止突起１を設け、該底辺面に延長及び又は前記形状の頂部に底辺面に平行した装着突起２を設けて構成してなることを特徴とする棚板用木口材。」である。以下、本考案の内容を詳細に説明する。
【０００６】
図１は、本考案による棚板用木口材の外観斜視図である。該木口材は、本体３、反り防止突起１及び装着突起２から一体として構成される。
【０００７】
本体３は、その断面が略三角形状を有している。本体３の断面形状を略三角形状にする理由は、棚板の木口端縁に装着して家具等に用いた際に、可及的に棚板端面が分厚い美観を与えないようにしかも棚板への収納物品の出し入れをより人間工学面から配慮することに存する。
【０００８】
次に、本体３の垂直面概中央部に、底辺面に平行した連続した反り防止突起１を有する。家具やキッチン等の棚板には、ＭＤＦやベニヤ等材料が用いられるが木質の生来の性質として湿気や水分或いは温度の影響を受け”反る”という現象を惹起し商品価値やその機能が低下することが多い。突起１の形状を図３の様に矢羽根状にすると頗る装着効果が大きい。
【０００９】
図２は本考案による棚板用木口材を棚板材の端縁に装着した斜視図であって、本考案による棚板用木口材を棚板材４に装着すると木口材の反り現象によるエネルギーを反り防止突起１にて吸収することができる。
【００１０】
更に本考案の内容を説明するならば、本体３の該底辺面に延長及び又は前記形状の頂部に底辺面に平行した装着突起２を設けている。
該木口材を棚板材質に装着する際に、両者の性質の相違の面から或いは双方の装着を充分にする点に鑑みてより双方の固定を確実にしかも綺麗に施す必要がある。装着突起２の棚板の美観に与える効果は甚大なものがある。図１では、装着突起２を本体３の底辺面のみ表わしているが、場合に応じて、上辺のみでもよく又、上下辺双方に設けてもよろしい。
【００１１】
本考案による棚板用木口材の材質は、金属質でも樹脂質でも宜しいが金属質では、軽量で加工性に優れた金属アルミニウムが適している。
又、金属質の場合は、樹脂質に比較し電気伝導性、熱伝導性において優れているので、静電気帯電によるゴミの付着や堆積が少なく木口材の面が汚れないので有利である。
【効果】
本考案による棚板用木口材を棚板の端縁に装着することによって、棚板の反り防止が可能となり家具の寸法の狂いが低減することが期待できる。一方、棚板という物品をより人間工学的に捉え美観の追求が可能となり、システム収納の展開に寄与するところが大きい。
【図面の簡単な説明】
【図１】本考案による棚板用木口材の外観的斜視図である。
【図２】本考案による棚板用木口材を棚板材に装着した棚板の斜視図である。
【図３】装着突起３の一例の横断面図である。
【符号の説明】
１　　　反り防止突起
２　　　装着突起
３　　　木口材本体
４　　　棚板材
【図１】
0003098148.tif 000003
【図２】
0003098148.tif 000004
【図３】
0003098148.tif 000005
【手続補正書】
【提出日】平成15年2月21日(2003.2.21)
【手続補正１】
【補正対象書類名】図面
【補正対象項目名】全図
【補正方法】変更
【補正の内容】
【図１】
0003098148.tif 000006
【図２】
0003098148.tif 000007
【図３】
0003098148.tif 000008
(57)【要約】　　　（修正有）【課題】携帯電話の文字や画面を見やすくする。【解決手段】携帯電話の画面の表面に拡大レンズをビス、差し込み式、ボンド、両面テープ等で取り付ける。これによりお年寄りや目の見えにくい方々にも、より見えやすくする。【選択図】　　図３
0003098145.tif 000002
【実用新案登録請求の範囲】
【請求項１】
携帯電話の画面の表面に拡大レンズを取り付けることにより文字や画面を見やすくする。
【考案の詳細な説明】
携帯電話の画面の表面に拡大レンズを取り付ける。取り付け方法は、ビス、差し込み式、ボンド、両面テープ等あらゆる方法を含む。これによりお年寄りや目の見えにくい方々にも、より見えやすくする。
【図面の簡単な説明】
0003098145.tif 000003
0003098145.tif 000004
【手続補正書】
【提出日】平成15年2月13日(2003.2.13)
【手続補正１】
【補正対象書類名】明細書
【補正対象項目名】実用新案登録請求の範囲
【補正方法】変更
【補正の内容】
【実用新案登録請求の範囲】
【請求項１】
携帯電話の画面の表面に拡大レンズを取り付ける。取り付け方法はビスによる固定や、ボンド、両面テープ、ゴムバンド等あらゆる方法により固定し、画面の文字を見やすくする為に固定する拡大レンズ。
【手続補正２】
【補正対象書類名】明細書
【補正対象項目名】図面の簡単な説明
【補正方法】変更
【補正の内容】
【図面の簡単な説明】
【図１】正面図
携帯電話の画面の表面に、拡大レンズを取り付けた状態を正面から見た図
【図２】側面図
携帯電話の画面の拡大レンズを取り付けた状態を側面から見た図。
【図３】レンズの図
携帯電話に取り付ける拡大レンズ全体図。拡大レンズを取り付けたフレームには、両サイドにビスやゴムバンドが付いている。
【符号の説明】
▲１▼　携帯電話
▲２▼　画面
▲３▼　拡大レンズ
▲４▼　ビス等
▲５▼　ゴム等


【手続補正３】
【補正対象書類名】図面
【補正対象項目名】全図
【補正方法】追加
【補正の内容】
【図１】
0003098145.tif 000005
【図２】
0003098145.tif 000006
【図３】
0003098145.tif 000007
【手続補正書】
【提出日】平成15年6月2日(2003.6.2)
【手続補正１】
【補正対象書類名】明細書
【補正対象項目名】実用新案登録請求の範囲
【補正方法】変更
【補正の内容】
【実用新案登録請求の範囲】
【請求項１】
文字や画面を見やすくする為に、ビス・ボンド・両面テープ・ゴムバンド等あらゆる方法により拡大レンズを取り付けた携帯電話。
【手続補正２】
【補正対象書類名】明細書
【補正対象項目名】図面の簡単な説明
【補正方法】変更
【補正の内容】
【図面の簡単な説明】
【図１】正面図
携帯電話の画面の表面に、拡大レンズを取り付けた状態を正面から見た図
【図２】側面図
携帯電話の画面に拡大レンズを取り付けた状態を側面から見た図。
【図３】レンズの図
携帯電話に取り付ける拡大レンズ全体図。拡大レンズを取り付けたフレームには、両サイドにビスやゴムバンドが付いている。
【符号の説明】
▲１▼携帯電話
▲２▼画面
▲３▼拡大レンズ
▲４▼ビス等
▲５▼ゴム等


【手続補正３】
【補正対象書類名】図面
【補正対象項目名】全図
【補正方法】追加
【補正の内容】
【図１】
0003098145.tif 000008
【図２】
0003098145.tif 000009
【図３】
0003098145.tif 000010
(57)【要約】【課題】今までの缶飲料用缶においては、購入時に吸い口部が汚れていたり、他人の手を経る時にその手が吸い口に触れる事などによる非不衛生な状態であった。【解決手段】缶飲料用缶の吸い口を容易に剥がす事が可能なシールにて覆うことで、購入時には工場生産時の清潔さを保持し、飲料を摂取する場合は容易にシールを剥がし、従来と変わりない関便さで飲料を摂取できる。【選択図】図１
0003098143.tif 000002
【実用新案登録請求の範囲】
【請求項１】
飲料用缶の吸い口部が清潔さを保持できる方式
【請求項２】
簡易に剥がすことが出来るシールで吸い口を覆う方式
【考案の詳細な説明】
【０００１】
【考案の属する技術分野】
缶のパッケージ技術
【０００２】
【従来の技術】
プルトップなどを中心とした缶パッケージで吸い口を覆う皮膜は無い
【０００３】
【考案が解決しようとする課題】
従来の缶飲料用缶は、購入時直ぐの飲料の場合など吸い口が汚れていたり、取り扱い時人の手指などが当り不衛生である
【０００４】
【課題を解決するための手段】
従来の缶飲料用缶の吸い口部を覆う簡易に剥がせるシールをつける
【０００５】
【考案の効果】
吸い口部をシールで覆うことにより、缶飲料製造時の清潔さを保持でき、また容易に剥がすことの出来るシールを間便に剥がす事により、衛生的な吸い口から飲料を摂取する事が出来る
【図面の簡単な説明】
【図１】概要図
【図２】側面図
【図３】上面図
【図１】
0003098143.tif 000003
【図２】
0003098143.tif 000004
【図３】
0003098143.tif 000005
【手続補正書】
【提出日】平成14年8月28日(2002.8.28)
【手続補正２】
【補正対象書類名】明細書
【補正対象項目名】実用新案登録請求の範囲
【補正方法】変更
【補正の内容】
【実用新案登録請求の範囲】
【請求項１】
・飲料用缶の吸い口部が清潔さを保持できる方式
・飲料用缶の封缶時に個々の吸い口部及びその周辺部を覆うことで吸い口部の衛生性を保持する
【請求項２】
・簡易に剥がす事が出来るシールで吸い口を覆う方式
・飲料用缶より内容物を摂取する際、簡略に簡易に衛生的に行うことが出来るように、剥がし開始部などを有する容易に剥がす事が可能なシールで吸い口部及び周辺部を覆う
【手続補正書】
【提出日】平成14年11月8日(2002.11.8)
【手続補正１】
【補正対象書類名】明細書
【補正対象項目名】実用新案登録請求の範囲
【補正方法】変更
【補正の内容】
【実用新案登録請求の範囲】
【請求項１】
・缶飲料用衛生保護シールは、缶の吸い口部を開缶時まで清潔に保持できるもので、缶飲料に貼付するものである。貼付にあたっては、吸い口部を中心に口唇が飲料摂取時に覆うであろう範囲、缶の開口部とその周辺及び開口部近接の側面に及ぶ構成を備えた缶飲料用衛生保護シール。
【請求項２】
・缶飲料用衛生保護シールは、セロテープ程度の粘着性のため、簡易に剥がす事が出来るものであり、飲料の摂取にあたっては指先などによりシールの端から引き剥がし、その後一般的な缶飲料の開缶同様の動作を行い飲料を摂取する事を目的にとした構成を備えた缶飲料用衛生保護シール。
【手続補正書】
【提出日】平成15年3月17日(2003.3.17)
【手続補正１】
【補正対象書類名】明細書
【補正対象項目名】実用新案登録請求の範囲
【補正方法】変更
【補正の内容】
【実用新案登録請求の範囲】
【請求項１】
・缶の吸い口部を開缶時まで清潔に保持できるように、缶飲料吸い口部に貼付するものであり、貼付にあたっては吸い口部を中心に口唇が飲料摂取時に覆うであろう範囲、缶の開口部とその周辺及び開口部近接の側面に及ぶ構成を有する缶飲料用衛生保護シール。
【請求項２】
・０．５ｍｍ程度の厚みがあり粘着性を保有し、しかも簡易に剥がす事が出来るものであるが、飲料缶より取り外した形状は食品保存用ラップのように平坦で柔軟性があり、飲料缶の吸い口部及びその周辺（約６ｃｍ平方）に密着し、空気・汚れ・雑菌から吸い口を保護する缶飲料用衛生保護シール。
【手続補正書】
【提出日】平成15年6月27日(2003.6.27)
【手続補正１】
【補正対象書類名】明細書
【補正対象項目名】請求項２
【補正方法】変更
【補正の内容】
【請求項２】
・０．５ｍｍ程度の厚みで輻約４ｃｍ長さ約８ｃｍの粘着性を保有する簡易に剥がす事が出来る楕円形状のシールで、飲料缶吸い口部（缶の上面及び側面）を覆うように、飲料缶に密着させて貼付し、飲料缶の吸い口部及びその周辺を、空気・汚れ・雑菌などから保護する缶飲料用衛生保護シール。
(57)【要約】【目的】本考案は蛍光灯などの微弱な光などの環境でも商品を載せて稼動できる太陽電池使用の回転展示台である。【構成】本考案は室内用太陽電池の微弱な電流で稼動するモータ▲５▼に太陽電池▲３▼を接続してテーブル▲１▼に商品を載せて稼動させる。【選択図】　　図１
0003098150.tif 000002
【実用新案登録請求の範囲】
【請求項１】
室内用太陽電池の弱い電流で回転することを特徴とする回転展示台。
【考案の詳細な説明】
【０００１】
【考案の属する技術分野】
本考案は、電源部分に室内用太陽電池を使用した、回転展示台に関するものである。
【０００２】
【従来の技術】
太陽電池を使った回転展示台は蛍光灯の光だけでは回転させることが難しく、太陽光、または白熱灯などの強い光でないと回転しなかった。
【０００３】
【考案が解決しようとする課題】
太陽電池使用の回転台を置くためには強力な照明のあるところ、または特別に照明を設置しなければならなかった。
そのため蛍光灯のみの店内やショーケースでは太陽電池で回転展示台を回転させることができなかった。
本案は、その欠点を除くために考案されたものである。
【０００４】
【課題を解決するための手段】
モータを微弱電流で稼動するように省電力化。
室内用太陽電池の微弱電流の為に不安定な回転を安定させるためにコンデンサを使い問題を解決している。
【０００５】
【考案の実施の形態】
蛍光灯などの光のあるところに設置し、テーブル▲１▼の上に商品を置く。
【０００６】
【実施例】
以下、添付図面に従って実施例を説明する。▲５▼のモータに▲１▼のテーブルを取り付け、その上に商品を載せ▲３▼の太陽電池を接続してモータを稼動させる。
【０００７】
モータの故障や太陽電池の不良、断線などがあったとき修理作業の効率を考え太陽電池とモータをコネクタで接続した。　図２
【０００８】
【考案の効果】
▲イ▼本考案の回転展示台は電池切れなどで止まってしまうことをなくした。
▲ロ▼本考案の回転展示台は室内に明かりをつければ、おのずと回転する。
【図面の簡単な説明】
【図１】太陽電池による回転展示台
【図２】展開図
【図３】展開図２
【図４】配線図
【符号の説明】
▲１▼　テーブル
▲２▼　モーターケース
▲３▼　室内用太陽電池
▲４▼　コネクタ
▲５▼　モーター
▲６▼　コンデンサ
【図１】
0003098150.tif 000003
【図２】
0003098150.tif 000004
【図３】
0003098150.tif 000005
【図４】
0003098150.tif 000006
【手続補正書】
【提出日】平成15年5月8日(2003.5.8)
【手続補正１】
【補正対象書類名】明細書
【補正対象項目名】実用新案登録請求の範囲
【補正方法】変更
【補正の内容】
【実用新案登録請求の範囲】
【請求項１】
モータにテーブルを取り付け、室内用太陽電池をモータに接続した回転展示台。
(57)【要約】【課題】変化に富み、実用性も高く、空気の対流作用を生じる二方向の対流するファン構造を提供する。【解決手段】台座、上ふた及びファンからなり、そのうち、上ふたは台座に固定されていて、台座前後両側に空気が対流する開口部を形成していて、ファンは台座内に軸固定されていて、　台座と上ふたの間には、前後開口部分に、それぞれ止め板があり、止め板は、ファン両側に取り付けられていて、台座内側に、気流を取り入れる道を二つ形成していて、ファンが回転することによって、進入した空気の気流がそれぞれ台座前後の開口部から吸入及び排出される。【選択図】図２
0003098183.tif 000002
【実用新案登録請求の範囲】
【請求項１】
台座、上ふた及びファンからなり、そのうち、上ふたは台座に固定されていて、台座前後両側に空気が対流する開口部を形成していて、ファンは台座内に軸固定されていて、
台座と上ふたの間には、前後開口部分に、それぞれ止め板があり、止め板は、ファン両側に取り付けられていて、台座内側に、気流を取り入れる道を二つ形成していて、ファンが回転することによって、進入した空気の気流がそれぞれ台座前後の開口部から吸入及び排出されるという特長を持つ、二方向対流のファン構造。
【請求項２】
台座、上ふた及びファンからなり、そのうち、上ふたは台座に固定されていて、台座前後両側に空気が対流する開口部を形成していて、ファンは台座内に軸固定されていて、
台座と上ふたの間の、前後開口部の同一側にそれぞれ気流の通り道があって、気流の通り道は、台座内の気流進出口がせまくなっていることにより、気流の吸入及び排出を増加し、強化するという特長を持つ、二方向対流のファン構造。
【請求項３】
ファンは、直接ノートブック型コンピューターのＩＣ板にあるＣＰＵの上方に取り付けて、固定されていて、ＣＰＵは、外側のケースのそばに取り付けられて、対流しやすくするという特長を持つ、請求項１あるいは請求項２に記載の二方向対流のファン構造。
【考案の詳細な説明】
【０００１】
【考案の属する技術分野】
本考案は、コンピューター関連応用製品、電子設備、及び、電気通信用品等に必要な放熱ファンに関する。本考案のファンは、気流を変える対流作用を持ち、二方向の曲線状の対流放熱効果を形成する。
【０００２】
【従来の技術】
従来の放熱装置は、その気流の対流方向が上下あるいは前後に直接出入りする、垂直状の対流等の状態で、これらのファン技術はすでに広く用いられている。
【０００３】
【考案が解決しようとする課題】
従来のファンは上下、前後に気流が直接出入りするため、設置の方向が制限される。
【０００４】
【課題を解決するための手段】
本考案のファンは、二方向の対流するファン構造で、従来のファンの放熱状態を改善し、気流は二方向に対流放熱、冷却するようになっている。その応用範囲は極めて広く、従来のファンのように方向が制限されない。したがって、変化に富み、実用性も高い。
そして、本考案のファンは、二方向に放熱するファン構造であり、吸入と排出の風向が曲線を形成するように設計されている。気流が曲線を描くことにより、空気の対流作用を生じるという特長を持つ。
【０００５】
【考案の実施の形態】
図１から図３を参照されたい。本考案の二方向対流のファン構造は以下の通りである。ファン１０は台座１、上ふた２及びファン３からなる。そのうち、上ふた２のつめ２１は台座１の側面板１１に設けられた固定穴１１１に固定されている。そして、台座１前後両側に空気が対流する開口部を形成して、ファン３を台座１内に軸固定されている。
【０００６】
台座１と上ふた２の間には、前後開口部分に、それぞれ止め板１２があり、止め板１２は、ファン３両側に取り付けられている。止め板１２内側には、斜めに切った部分があり、気流を取り入れる道となっている。その止め板１２は、台座１内部には気流の通り道が二つ形成されている。ファン３が回転することによって、進入した空気の気流がそれぞれ台座１前後の開口部から吸入及び排出される。
【０００７】
さらに、図４を参照されたい。本考案のファン装置１０’の構造は、台座１’、上ふた２’、及び、ファン３’からなり、そのうち、上ふた２’、がその台座１に固定されていて、台座１’と上ふた２’からなる外側ケース前後両側に空気が対流する開口部を形成していて、ファン３’は台座１’内に軸固定される。
台座１’の側面板１１’の位置に、前後開口部の同一側にそれぞれ気流の通り道１２’があって、気流の通り道１２’は、曲線状で、ファン３’の単一側に、台座１’内部にせまい気体の対流の通り道が形成される。
【０００８】
ファン３’が回転することにより、進入した空気の気流は、それぞれ台座１’から単一方向に進入及び排出する。台座１’内部は、気流通り道１２’が明らかに縮小されている。このため、気流の進出量は増加し強くなるので、一般の放熱ファンとは大きく異なる。気流の放熱問題に関しては、本考案のファン構造が温度を下げる効果も気流の導入の変化によって、多種の組み合わせによる実施効果がある。
【０００９】
図５及び図６を参照されたい。本考案の二方向対流のファン構造を、ノートブック型コンピューター４０に応用して、放熱作用を提供している。ノートブック型コンピューター４０内部の放熱効果を強化するため、この二方向対流のファン１０（あるいはファン装置１０ノートブック型コンピューター４０）は、ノートブック型コンピューター４０に設置されたＣＰＵ３０の上方に取り付けて、固定されている。加熱しやすいＣＰＵ３０の温度を下げて冷却するため、このＣＰＵ３０は、ノートブック型コンピューター４０のそばに取り付けられている。ファン１０は、直接でも、外付けでも対流作用があり、ＣＰＵ３０の高温、高熱を効果的に下げて、冷却する。
【００１０】
【考案の効果】
本考案のファン構造は、範囲は極めて広く、従来のファンのように方向が制限されない。したがって、変化に富み、実用性も高い。
【図面の簡単な説明】
【図１】本考案の立体外観図である。
【図２】本考案の立体分解図である。
【図３】本考案のファンの使用状態の参考図である。
【図４】本考案のもう一つの実施例の使用状態を示した図である。
【図５】本考案のノートブック型コンピューターにおける実施例である。
【図６】本考案のＣＰＵにおけるの実施例の使用状態を示した図である。
【符号の説明】
１０、１０’　　　　　ファン装置
１、１’　　　　　　　　台座
１１、１１’　　　　側面板
１１１　　　　　　　　　　固定穴
１２　　　　　　　　　　　　止め板
１２’　　　　　　　　　気流の通り道
２、２’　　　　　　　上ふた
２１　　　　　　　　　　　つめ
３、３’　　　　　　　　ファン
２０　　　　　　　　　　　　電気回路板
３０　　　　　　　　　　　　ＣＰＵ
４０　　　　　　　　　　　　ノートブック型コンピューター
【図１】
0003098183.tif 000003
【図２】
0003098183.tif 000004
【図３】
0003098183.tif 000005
【図４】
0003098183.tif 000006
【図５】
0003098183.tif 000007
【図６】
0003098183.tif 000008
(57)【要約】【課題】金具本体である中空体の外側にロウ付け作業等による「環」の突起物を無くした単純な形状にし、容易にＯリングの挿入が出来うる、低コストの装身具用金具を提供することを目的とする。【解決手段】自動制御カット機にて、金具本体である中空体の丸玉にダイヤバイト等を用いて並列に２本以上のカット溝を入れることで、カットした間に残留する帯状部分が接続用環となる形状を形成して接続用環の取り付けを不要にし、そのカット溝より、Ｏリングの挿入を容易にしたことを特徴とする装身具用金具。【選択図】　　　　図１
0003098186.tif 000002
【実用新案登録請求の範囲】
【請求項１】
中空体の金具本体の中に弾性体を配設し、装飾用ネックレスチェーン上を自由に摺動、且つ、途中で係留できることにより、ネックレスの輪径を容易に変える事が可能な機構を持ち合わせた装身具金具に於いて、自動制御カット機等を使用し、金具本体１０である中空体の丸玉にダイヤバイト等を用いて、並列に間を空けて２本以上のカット溝３１ａ、３１ｂを入れ、その間に残留する帯状部分が環となる形状を形成し、その部分を接続用環１２とした装身具用金具。
【請求項２】
カット溝を利用してＯリング１５を挿入する請求項１記載の装身具用金具。
【考案の詳細な説明】
【０００１】
【考案の属する技術分野】
本考案は、装飾用ネックレスチェーンの輪体の大きさを自由に調整できる装身具用金具に関するものである。
【０００２】
【従来の技術】
中空体内の中にシリコンゴム等の弾性体を配設し、装飾用ネックレスチェーン上を自由に摺動、且つ、途中で係留できる機能を持ち合わせた従来の装身具用金具（図７）は、連結環１３を介して、引輪（クラスプ）１４と接続する環（従来の接続用環２０）が必要であり、環（従来の接続用環２０）をロウ付け作業またはレーザー等を用いて取り付けていた。
【０００３】また、シリコンゴム等の弾性体はチェーン挿入孔１１より挿入していた。
【０００４】
【考案が解決しようとする課題】
中空体に環（従来の接続用環２０）を取り付ける作業は技術的にも難しく、コスト削減を図るためにも環（従来の接続用環２０）の取り付け作業を省く必要があった。
【０００５】また、チェーン挿入孔１１からのシリコンゴム等の弾性体の挿入が難しく、その作業を容易して挿入工数の削減を図る必要があった。
【０００６】
【課題を解決するための手段】
本考案は、自動制御のカット機を使用し、金具本体である中空体の丸玉にダイヤバイト等を用いてカット溝３１ａ、３１ｂを入れることで、環（従来の接続用環２０）に換わりうる接続用環１２を形成させ、また、そのカット溝３１ａ、３１ｂを利用してＯリング１５を挿入することを特徴とし、環（従来の接続用環２０）の取り付け作業を省き、Ｏリング１５の挿入工数の削減を図った。
【０００７】
【考案の実施の形態】
以下において、図面を用いて本考案の具体的な内容を説明する。
【０００８】
【実施例】
図１〜図３は本考案の装身具用金具の一実施形態を示す正面図、平面図、側面図であり、図５、図６は本考案の装身具用金具に複数のカット溝を入れた一実施例を示す正面図と平面図である。
【０００９】自動制御のカット機に中空体の丸玉をセットしダイヤバイトを等を用いて丸玉に並列に間を空けて２本のカット溝３１ａ、３１ｂを入れ、カットした間に残留する帯状部分を作り、その部分を接続用環１２とした。
【００１０】そして、請求項２で記述したカット溝３１ａ、又は３１ｂよりＯリング１５を挿入、中空体の中にＯリング１５を配設し、そして、Ｏリング内径部１５ａに、それより太い径のネックレス等の装飾用チェーン５０を、チェーン挿入孔１１より貫通させることで、Ｏリング１５より弾性が得られる装身具用金具が完成する。
【００１１】図５は、本考案の装身具用金具をネックレスの装飾用チェーン５０に使用した一実施形態例を示す全体図であり、前記述の装飾用チェーン５０の先端に連結環１３を介してチェーン抜け防止プレート４０を連結、もう一方の先端には引輪連結穴付きプレート４１を連結環１３を介して連結し、引輪（クラスプ）１４と引輪連結穴付きプレート４１を連結することで輪が形成され、Ｏリング１５の弾性によって金具本体１０を摺動させても任意の位置で係止できるため、輪の大きさを自在に変えることができる。
【００１２】
【発明の効果】
以上説明したように本考案の装飾用金具は、環（従来の接続用環２０）の取り付け作業を省くことで工数削減が可能となった。そして、中空体の外側に「環」等の突起物が無い単純な形状が得られた。また、カット溝からのＯリングの挿入が容易であるため、安価に製造でき、摺動にて摩耗及び、破損した場合にもＯリングの交換が容易になった。
【００１３】また、カット溝を、縦、横、斜め、また、複数も入れることが可能でありデザインとしても応用できる。
【図面の簡単な説明】
【図１】本考案の装身具用金具と引輪（クラスプ）接続の一実施例を示す正面図である。
【図２】図１の平面図である。
【図３】図１の装身具用金具のみを示す測面図である。
【図４】チェーン挿入孔１１，１１ａに対して直角の向きに接続環１２を形成さた本考案の装身具用金具と引輪（クラスプ）接続の一実施例を示す正面図である。
【図５】本考案の装身具用金具に複数のカット溝を入れ、引輪（クラスプ）接続の一実施例を示す正面図である。
【図６】図５の平面図である。
【図７】従来の金具の実施形態を示す概念図である。
【図８】本考案の装身具用金具をネックレスの装飾用チェーンに使用した一実施形態を示す全体図である。
【符号の説明】
１０　　金具本体
１１　　チェーン挿入孔
１１ａ　チェーン挿入孔
１２　　接続用環
１３　　連結環
１４　　引輪（クラスプ）
１５　　Ｏリング
１５ａ　Ｏリング内径部（チェーン挿入孔）
２０　　従来の接続用環
３１ａ　カット溝
３１ｂ　カット溝
４０　　チェーン抜け防止飾りパーツ
４１　　引輪連結穴付きプレート
５０　　装飾用チェーン
６０ａ　カット溝
６０ｂ　カット溝
６０ｃ　カット溝
６０ｄ　カット溝
６０ｅ　カット溝
６０ｆ　カット溝
６０ｇ　カット溝
６０ｈ　カット溝
【図１】
0003098186.tif 000003
【図２】
0003098186.tif 000004
【図３】
0003098186.tif 000005
【図４】
0003098186.tif 000006
【図５】
0003098186.tif 000007
【図６】
0003098186.tif 000008
【図７】
0003098186.tif 000009
【図８】
0003098186.tif 000010